(57)【要約】  本発明は：  −  第１の酸化剤を受けることに適した第１の入口（１９）、少なくとも水素を受ける能力がある第２の入口（２３）、ならびに、第２の酸化剤および熱を送出することに適した出口（２５）を含む水素バーナ（１０）と；  −  入口（４０）および出口（４１）を有する酸化剤調整システム（１８）であって、前記入口（４０）は、第２の酸化剤および熱を受けることに適しており、前記出口（４１）は、調整された第２の酸化剤を送出する能力がある、酸化剤調整システム（１８）と；  −  アノード（９）およびカソード（１１）を有する少なくとも１つの燃料電池（８）であって、カソード（１１）は、酸化剤調整システム（１８）の出口（４１）に接続されるカソード入口（１３）を含み、カソード入口（１３）は、調整された第２の酸化剤を受ける、少なくとも１つの燃料電池（８）とを含む、航空機用の燃料電池システム（２）に関する。
2021529427.tif 000002
【特許請求の範囲】
【請求項１】
第１の酸化剤を受けることに適した第１の入口（１９）、少なくとも水素を受ける能力がある第２の入口（２３）、ならびに、第２の酸化剤および熱を送出することに適した出口（２５）を含む水素バーナ（１０）と、
入口（４０）および出口（４１）を有する酸化剤調整システム（１８）であって、前記入口（４０）は、第２の酸化剤および熱を受けることに適しており、前記出口（４１）は、調整された第２の酸化剤を送出する能力がある、酸化剤調整システム（１８）と、
アノード（９）およびカソード（１１）を有する少なくとも１つの燃料電池（８）であって、カソード（１１）は、酸化剤調整システム（１８）の出口（４１）に接続されるカソード入口（１３）を含み、カソード入口（１３）は、調整された第２の酸化剤を受ける、少なくとも１つの燃料電池（８）と
を含む、航空機用の燃料電池システム（２、４３）。
【請求項２】
水素バーナ（１０）から酸化剤調整システム（１８）に、前記少なくとも調整された第２の酸化剤および熱を運ぶ能力があるパイプ（２６）を含み、前記パイプ（２６）が、水素バーナの出口（２５）に、および、酸化剤調整システムの入口（４０）に接続される、請求項１に記載の燃料電池システム（２、４３）。
【請求項３】
水素バーナ（１０）に近接して配置され、水素バーナ（１０）と熱的に接触している熱交換器（１２）、
熱交換器（１２）に接続され、燃料電池（８）と熱的に接触している伝熱管（１７）、
熱交換器（１２）内に、および、伝熱管（１７）内に配置され収容される熱伝導流体であって、燃料電池（８）の始動段階の間に、水素バーナ（１０）により生成される熱の一部分を収集し、前記熱を燃料電池（８）に運ぶために、熱交換器（１２）から、および、伝熱管（１７）の方に移動することができる、熱伝導流体
を含む熱交換デバイス（１６）を含む、請求項１または２に記載の燃料電池システム（２、４３）。
【請求項４】
第２の酸化剤が、蒸気形態での水を含む、請求項１から３のいずれか一項に記載の燃料電池システム（２、４３）。
【請求項５】
パイプ（２６）内に配置される水素濃度センサ（２２）を含む、請求項２から４のいずれか一項に記載の燃料電池システム（２、４３）。
【請求項６】
酸化剤を提供することに適している酸化剤の源（６）を含み、パイプ（２１）が、酸化剤の源（６）を水素バーナ（１０）の第１の入口（１９）に接続する、請求項１から５のいずれか一項に記載の燃料電池システム（２、４３）。
【請求項７】
アノード（９）が、アノード入口（１５）およびアノード出口（１６）を含み、燃料電池システム（２）が、
水素を送出する能力があるタンク（４）、
水素調整システム（２０）であって、
タンク（４）から水素を受ける能力がある第１の入口（３１）、
燃料電池（８）のアノード入口（１５）に、調整された水素を送出することに適した第１の出口（３５）、
燃料電池（８）のアノード出口（１６）から、水素および窒素を含む残留ガスを受けることに適した第２の入口（３３）、
前記残留ガスの少なくとも一部分を水素バーナ（１０）に運ぶために、水素バーナ（１０）の第２の入口（２３）に接続される第２の出口（３７）
を含む、水素調整システム（２０）
をさらに含む、請求項１から６のいずれか一項に記載の燃料電池システム（２、４３）。
【請求項８】
第１の酸化剤を水素バーナ（１０）内へと注入することに適した圧縮機（４４）を含み、前記圧縮機（４４）が、前記圧縮機（４４）の第１の入口（２３）の上流に配置される、請求項１から７のいずれか一項に記載の燃料電池システム（４３）。
【発明の詳細な説明】
【技術分野】
【０００１】
本発明は、燃料電池システムの分野の中に存する。燃料電池システムは、水素および酸化剤から電気を作り出す電気化学発電装置である。
【背景技術】
【０００２】
通常の、および、トラブルのない動作の間、燃料電池は、それらの環境内へと水素を放出する。これらの水素漏洩は、例えば、窒素パージ段階の間に、および／または、燃料電池の始動段階（オフのときに存在するガスを置換するために水素を注入することの段階）の間に起こる。これらの漏洩は、抑制されずに残されるならば、爆発性雰囲気を作ることがある。
【０００３】
この様式で放出される水素は、システム環境内へと、環境が（例えば、車の外側に対して）「開放的」であるならば吐出される、あるいは、空気などの非反応性ガスによって希釈される、または、燃焼させられる。
【０００４】
航空の用途において、燃料電池は、キャビン内に設置され得る。キャビンは、開放的な環境ではない。この環境は、水素が放出されるならば、爆発性雰囲気を形成することがある。加えて、水素の損失は、燃料電池システムの比エネルギーおよび出力を低減する。比出力は、電池により生成される出力と、燃料電池システムの総質量との間の比である。比エネルギーは、電池により生成されるエネルギーと、燃料電池システムの総質量との間の比である。これらの２つのパラメータは、低質量解決策が常に探求される空輸の用途において重要である。最後に、水素の希釈は、希釈ガスの使用を要し、そのことは、システムに複雑さを加えることがある。
【発明の概要】
【発明が解決しようとする課題】
【０００５】
本発明の目標は、航空機において安全な様式で使用され得る低質量燃料電池システムを提供することである。
【課題を解決するための手段】
【０００６】
この目的のために、本発明は：
−  第１の酸化剤を受けることに適した第１の入口、少なくとも水素を受ける能力がある第２の入口、ならびに、第２の酸化剤および熱を送出することに適した出口を含む水素バーナと；
−  入口および出口を有する酸化剤調整システムであって、前記入口は、第２の酸化剤および熱を受けることに適しており、前記出口は、調整された第２の酸化剤を送出する能力がある、酸化剤調整システムと；
−  アノードおよびカソードを有する少なくとも１つの燃料電池であって、カソードは、酸化剤調整システムの出口に接続されるカソード入口を含み、カソード入口は、調整された第２の酸化剤を受ける、少なくとも１つの燃料電池と
を含む、航空機用の燃料電池システムに関する。
【０００７】
有利には、本発明による燃料電池システムは、外部環境に関して心配することなく、電池から水素を放出することを可能とする。
【０００８】
有利には、本発明による燃料電池システムは、従来の動作の間に失われる水素を再使用することを可能とする。本発明による燃料電池システムは、それゆえに、より効率的である。
【０００９】
有利には、本発明による燃料電池システムの水素バーナは、燃料電池を加熱し、その始動を加速するために使用される熱を生成する。
【００１０】
有利には、本発明による燃料電池システムは、燃料電池のカソード入口においての空気の湿度レベルを増大することを可能とする。
【００１１】
有利には、本発明による燃料電池システムは、その冷間始動を促進する。
【００１２】
いくつかの個別の実施形態によれば、燃料電池システムは、単独で、または組み合わせて取られる、以下の特徴のうちの１つ以上を有する：
【００１３】
−  システムは、水素バーナから酸化剤調整システムに、前記少なくとも調整された第２の酸化剤および熱を運ぶ能力があるパイプを含み、前記パイプは、水素バーナの出口に、および、酸化剤調整システムの入口に接続される；
【００１４】
−  システムは：
−  水素バーナに近接して配置され、水素バーナと熱的に接触している熱交換器、
−  熱交換器に接続され、燃料電池と熱的に接触している伝熱管、
−  熱交換器内に、および、伝熱管内に配置され収容される熱伝導流体であって、燃料電池の始動段階の間に、水素バーナにより生成される熱の一部分を収集し、前記熱を燃料電池に運ぶために、熱交換器から、および、伝熱管の方に移動することができる、熱伝導流体
を含む熱交換デバイスを含む；
【００１５】
−  第２の酸化剤は、蒸気形態での水を含む；
【００１６】
−  システムは、パイプ内に配置される水素濃度センサを含む；
【００１７】
−  システムは、酸化剤を提供することに適している酸化剤の源を含み、パイプが、酸化剤の源を水素バーナの第１の入口に接続する；
【００１８】
−  アノードは、アノード入口およびアノード出口を含み、燃料電池システムは、
−  水素を送出する能力があるタンク；
−  水素調整システムであって：
−  タンクから水素を受ける能力がある第１の入口、
−  燃料電池のアノード入口に、調整された水素を送出することに適した第１の出口；
−  燃料電池のアノード出口から、水素および窒素を含む残留ガスを受けることに適した第２の入口；
−  前記残留ガスの少なくとも一部分を水素バーナに運ぶために、水素バーナの第２の入口に接続される第２の出口
を含む、水素調整システム
をさらに含む。
【００１９】
−  システムは、第１の酸化剤を水素バーナ内へと注入することに適した圧縮機を含み、前記圧縮機は、前記圧縮機の第１の入口の上流に配置される；
【００２０】
本発明は、単に例として与えられる、および、図を参照する、以下の説明を読むことから、より良好に理解される。
【図面の簡単な説明】
【００２１】
【図１】本発明の第１の実施形態による燃料電池システムの概略図である。
【図２】図１において例示されるシステムの水素バーナの概略図である。
【図３】本発明の第２の実施形態による燃料電池システムの概略図である。
【発明を実施するための形態】
【００２２】
本発明による航空機用の燃料電池システム２は、水素を送出する能力があるタンク４と、酸化剤の源６と、少なくとも１つの燃料電池８と、触媒水素バーナ１０とを含む。
【００２３】
燃料電池システム２は、酸化剤調整システム１８と、水素調整システム２０とをさらに含む。
【００２４】
タンク４は、燃料電池の反応に対して必要な水素を供給する。水素は、貯蔵されている、または、その場で生成される、水素であり得る。
【００２５】
酸化剤の源６は、燃料電池の反応に対して必要な第１の酸化剤を提供する。この源は、タンクであり得る。第１の酸化剤は、純酸素または周囲空気である。
【００２６】
燃料電池８は、水素および酸素から、電気、水、および熱を作り出す電気化学反応の場所である。電池は、アノード９と、カソード１１とを含む。アノード９は、アノード入口１５と、アノード出口１６とを含む。カソード１１は、カソード入口１３と、カソード出口１４とを含む。
【００２７】
触媒水素バーナ１０は、水素を燃焼させ、熱、および、ガス形態での水を生成する能力がある。触媒水素バーナ１０の例が、図２において概略的に表される。触媒水素バーナ１０は、パイプ２１により酸化剤の源６に接続される第１の入口１９と、パイプ２４により水素調整システム２０に接続される第２の入口２３と、パイプ２６により酸化剤調整システム１８に接続される出口２５とを含む。触媒水素バーナ１０は、混合室２７と、触媒２９を収容する触媒作用室２８とを含む。
【００２８】
第１の入口１９および第２の入口２３は、混合室２７内へと開口する。水素調整システム２０から来る水素は、かくして、混合室２７内で、酸化剤の源６から来る第１の酸化剤と混合される。かくして形成された混合物は、それが第２の酸化剤に酸化させられる触媒作用室２８内へと進む。この第２の酸化剤は、ガス形態での水を含む。この酸化反応は、熱を作り出す。この第２の酸化剤は、一般的には、４０℃から１００℃の間に含まれる温度を有する。
【００２９】
水素バーナ１０の故障を検出するために、および、水素／酸化剤の混合物は、濃度の特定の範囲の中では爆発性であり得るので、燃料電池システム２は、また、水素バーナ１０と酸化剤調整システム１８との間に配置される水素濃度センサ２２を含み得る。センサ２２は、図１において概略的に表される。センサ２２は、例えばパイプ２６内に固定される。
【００３０】
酸化剤調整システム１８は、温度、圧力、湿度、および流量の見地において、燃料電池の適正な動作のために第２の酸化剤を準備する。酸化剤調整システム１８は、水素バーナ１０から来る第２の酸化剤および熱を受けることに適した入口４０と、調整された第２の酸化剤を生成することに適した出口４１とを含む。入口４０は、パイプ２６を介してバーナの出口２５に接続される。出口４１は、電池８のカソード入口１３に接続される。
【００３１】
有利には、酸化剤調整システム１８による第２の酸化剤の準備は、バーナ１０を抜け出る第２の酸化剤が高温および多湿であるという事実により促進される。
【００３２】
水素調整システム２０は、パイプ３２によりタンク４に接続される第１の入口３１と、パイプ３４により電池のアノード出口１６に接続される第２の入口３３と、パイプ３６により電池のアノード入口１５に接続される第１の出口３５と、パイプ２４により水素バーナ１０の第２の入口に接続される第２の出口３７とを含む。
【００３３】
水素調整システム２０は、温度、圧力、湿度、および流量の見地において、燃料電池８の適正な動作のために水素を準備する。有利には、パイプ３４および水素調整システム２０は、電池のアノード出口においての使用されない水素の一部分を、それを燃料電池内での新しい使用のために準備することにより、再使用することを可能にする。
【００３４】
燃料電池システム２は、図１において部分的に表される熱交換デバイス１６をさらに含む。この熱デバイスは、熱交換ループから構成され得る。熱交換デバイスは、水素バーナ１０に近接して配置され、水素バーナ１０と熱的に接触している熱交換器１２と、熱交換器１２に接続され、燃料電池８と熱的に接触している伝熱管１７と、熱交換器１２および伝熱管１７内に収容される熱伝導流体とを含む。
【００３５】
熱交換器１２は、図１において示されるように、水素バーナの構成要素となる筐体の一部分からなり得る。
【００３６】
図１において示される例において、熱交換器１２は、熱伝導流体を供給するための入口と、伝熱管１７に接続される出口とを含む。
【００３７】
熱伝導流体は、水素バーナ１０内で遂行される酸化反応により生成される熱の一部分を回収するために、および、この熱を燃料電池８に運ぶために、熱交換器１２と伝熱管１７との間を移動することができる。この熱は、燃料電池８の始動を促進する。この熱は、有利には、電池が始動させられた後、航空機の特定のデバイスにより使用され得る。この熱は、例えば、かくして、水を加熱するために使用され得る。
【００３８】
この熱交換デバイス１６は、有利には、燃料電池の冷却剤に対するループから構成され得る。設計、および、放出されるエネルギーの量に依存して、熱はまた、酸化剤の流れ（対流による熱放散）により除去され得る。
【００３９】
図３は、本発明の第２の実施形態による燃料電池システム４３を例示する。第１の実施形態によるシステムの要素と同一または同様である、第２の実施形態による燃料電池システム４３の要素は、第１の実施形態においてと同じ参照番号を有し、再びは説明されない。
【００４０】
この燃料電池システム４３は、第１の酸化剤が空気を含み、システム４３が、酸化剤の源６と水素バーナ１０との間に配置される圧縮機４４をさらに含むということを除いて、第１の実施形態による燃料電池システム２と同様である。
【００４１】
有利には、圧縮機４４は、水素バーナ１０内へと導入される空気の量を制御することを可能にする。加えて、有利には、水素バーナ１０に進入する空気は高温である。このことは、水素バーナの触媒反応の効率および開始を改善する。
【００４２】
電池が起動するとき、電池のアノード１１は、水素により除去および置換されなければならないガスの混合物を収容する。ガスのこの混合物は、水素と、窒素と、おそらくは他のガスとを含有する。ガスのこの混合物は、本特許出願において残留ガスと呼ばれる。
【００４３】
残留ガスを除去することの動作は、一般的には「パージ段階」と呼称される。このパージ段階の間、水素が、水素調整システム２０によりアノード内へと注入される。
【００４４】
水素のこの大量の注入は、残留ガスのほとんどすべてを除去することを可能にし、その残留ガスは、パイプ３４、水素調整システム２０、およびパイプ２４を介して水素バーナ１０に運ばれる。
【００４５】
水素バーナ１０は、残留ガス、および、酸化剤の源６を発生源とする第１の酸化剤を酸化させる。そのことは、熱および第２の酸化剤を作り出す。この第２の酸化剤は、ガス形態での水（水蒸気）により形成される。第２の酸化剤、および、熱のいくらかは、酸化剤調整システム１８に移送される。
【００４６】
調整システム１８は、電池内での使用のために、温度、圧力、および湿度の見地において、第２の酸化剤を準備する。調整システム１８の働きは、第２の酸化剤が、酸化剤の源６を発生源とする第１の酸化剤より高温および多湿であるという事実により促進される。調整システム１８は、調整された第２の酸化剤を、燃料電池８のカソード入口１３に運ぶ。
【００４７】
並行して、酸化反応により放出される熱の一部分が、熱交換器１２を介して冷却剤に運ばれる。この熱は、冷却剤パイプ１７を介して燃料電池に伝達される。この熱は、燃料電池８を始動させることを促進する。
【００４８】
燃料電池８を始動させた後、電池の通常の動作の間、この熱は、航空機のデバイスの方に、熱伝導流体により取り除かれる。
【００４９】
電池の通常の動作の間、電池の構成物を発生源とする窒素が、徐々にアノード９に進入する。窒素の量が高すぎるとき、このことが、電池の動作を妨げる。その結果、燃料電池システム２、４３は、継続的に、または、時々のいずれかで（または両方で）パージ段階を実行し、そのパージ段階の間、水素と窒素とからなり、アノード出口１６を抜け出る残留ガスは、調整システム２０により処理されアノード入口１５を通して電池内へと再度注入されるのではなく、パイプ２４を介して水素バーナ１０に運ばれる。
【００５０】
並行して、水素調整システム２０は、また、第２の酸化剤の作成のために、水素を水素バーナ１０に運ぶ。水素調整システム２０は、タンク４から来る水素の量、および、水素バーナ１０に運ばれることになる残留ガスの量を調節することができる。
【００５１】
従来の燃料電池システムにおいて、残留ガスは、大気中へと放出される。大気中へのこの排気は、航空機において遂行されるときは危険である。本発明による燃料電池システムによって、水素および窒素は消費され、そのため、爆発性雰囲気を作ることのリスクは、低減され、消失させられさえする。反応は、発熱性であり、そのため、それゆえに、電池を、それを起動させるときに加熱する、または、例えば手洗い所内の温水を生成するために航空機のデバイスを加熱するのいずれかのために使用される。
【００５２】
燃料電池に進入する前に水素を燃焼させることにより、本発明による燃料電池システムは、次のことを可能にする：
【００５３】
−  燃料電池８を、その始動の間、ガスによって加熱し、加熱する助けとなる。
【００５４】
−  真の課題である、燃料電池の冷間始動（凍結条件（ｆｒｅｅｚｉｎｇ  ｃｏｎｄｉｔｉｏｎ））を促進する。
【００５５】
−  （ＬＴ−ＰＥＭ電池に対して必要な）燃料電池の酸化剤の、入口においての湿度を増大する。
【００５６】
−  水素はもはや、システムの環境内へと放出されず、そのことは、爆発性雰囲気が達せられるという程度に水素の濃度を増大することのリスクを消失させる。
【図１】
2021529427.tif 000003
【図２】
2021529427.tif 000004
【図３】
2021529427.tif 000005
【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
第１の酸化剤を受けることに適した第１の入口（１９）、少なくとも水素を受ける能力がある第２の入口（２３）、ならびに、第２の酸化剤および熱を送出することに適した出口（２５）を含む水素バーナ（１０）と、
入口（４０）および出口（４１）を有する酸化剤調整システム（１８）であって、前記入口（４０）は、第２の酸化剤および熱を受けることに適しており、前記出口（４１）は、調整された第２の酸化剤を送出する能力がある、酸化剤調整システム（１８）と、
アノード（９）およびカソード（１１）を有する少なくとも１つの燃料電池（８）であって、カソード（１１）は、酸化剤調整システム（１８）の出口（４１）に接続されるカソード入口（１３）を含み、カソード入口（１３）は、調整された第２の酸化剤を受ける、少なくとも１つの燃料電池（８）と
を含む、航空機用の燃料電池システム（２、４３）。
【請求項２】
水素バーナ（１０）から酸化剤調整システム（１８）に、前記調整された第２の酸化剤および熱を運ぶ能力があるパイプ（２６）を含み、前記パイプ（２６）が、水素バーナの出口（２５）に、および、酸化剤調整システムの入口（４０）に接続される、請求項１に記載の燃料電池システム（２、４３）。
【請求項３】
水素バーナ（１０）に近接して配置され、水素バーナ（１０）と熱的に接触している熱交換器（１２）、
熱交換器（１２）に接続され、燃料電池（８）と熱的に接触している伝熱管（１７）、
熱交換器（１２）内に、および、伝熱管（１７）内に収容される熱伝導流体であって、燃料電池（８）の始動段階の間に、水素バーナ（１０）により生成される熱の一部分を収集し、前記熱を燃料電池（８）に運ぶために、熱交換器（１２）から、および、伝熱管（１７）の方に移動することができる、熱伝導流体
を含む熱交換デバイス（１６）を含む、請求項１または２に記載の燃料電池システム（２、４３）。
【請求項４】
第２の酸化剤が、蒸気形態での水を含む、請求項１から３のいずれか一項に記載の燃料電池システム（２、４３）。
【請求項５】
パイプ（２６）内に配置される水素濃度センサ（２２）を含む、請求項２から４のいずれか一項に記載の燃料電池システム（２、４３）。
【請求項６】
酸化剤を提供することに適している酸化剤の源（６）を含み、パイプ（２１）が、酸化剤の源（６）を水素バーナ（１０）の第１の入口（１９）に接続する、請求項１から５のいずれか一項に記載の燃料電池システム（２、４３）。
【請求項７】
アノード（９）が、アノード入口（１５）およびアノード出口（１６）を含み、燃料電池システム（２）が、
水素を送出する能力があるタンク（４）、
水素調整システム（２０）であって、
タンク（４）から水素を受ける能力がある第１の入口（３１）、
燃料電池（８）のアノード入口（１５）に、調整された水素を送出することに適した第１の出口（３５）、
燃料電池（８）のアノード出口（１６）から、水素および窒素を含む残留ガスを受けることに適した第２の入口（３３）、
前記残留ガスの少なくとも一部分を水素バーナ（１０）に運ぶために、水素バーナ（１０）の第２の入口（２３）に接続される第２の出口（３７）
を含む、水素調整システム（２０）
をさらに含む、請求項１から６のいずれか一項に記載の燃料電池システム（２、４３）。
【請求項８】
第１の酸化剤を水素バーナ（１０）内へと注入することに適した圧縮機（４４）を含み、前記圧縮機（４４）が、前記圧縮機（４４）の第１の入口（２３）の上流に配置される、請求項１から７のいずれか一項に記載の燃料電池システム（４３）。
【国際調査報告】
2021529427.tif 000006
2021529427.tif 000007
2021529427.tif 000008
2021529427.tif 000009
2021529427.tif 000010
2021529427.tif 000011